(57)【要約】【課題】移設元の交換機と移設先の交換機との配信に必要な設定の変更が自動的に設定でき、セキュリティの高い交換機およびＩＰ電話機の移設方法を提供する。【解決手段】交換機Ａ３ａから交換機Ｂ３ｂへＩＰ電話機４を移設する場合にＩＰ電話機４からの登録要求を受信した交換機Ｂ３ｂは、ＩＰ電話機４の識別情報の登録の有無を交換機情報テーブルに基づいて交換機Ａ３ａへ問い合わせるＩＰ電話機４の登録要求の通知を送信する。交換機Ａ３ａは、電話機情報テーブルにＩＰ電話機４の識別情報が登録されているか否かを判定し、登録されていれば交換機Ｂ３ｂへその旨を通知するとともに、電話機情報テーブルにＩＰ電話機４の識別情報と関連付けてルーティング情報として交換機Ｂ３ｂのＩＰアドレスを登録する、これにより交換機Ａ３ａへ着信した呼をＩＰ電話機４が移設された交換機Ｂ３ｂへその旨を通知することができる。【選択図】図１
2005318054.tif 000002
【特許請求の範囲】
【請求項１】
ＩＰ電話機を識別する識別情報が登録される電話機情報テーブルと、
前記電話機情報テーブルに登録された識別情報に基づいて着信した呼を該当するＩＰ電話機へ配信する配信制御手段とを有する交換機であって、
他の交換機のアドレス情報を登録する交換機情報テーブルと、
ＩＰ電話機からの登録要求を受信したときに、このＩＰ電話機の識別情報が前記電話機情報テーブルに登録されていないと判定すると、前記交換機情報テーブルに登録された前記他の交換機のアドレス情報に基づき、前記ＩＰ電話機の登録要求を通知する手段と、
前記登録要求の応答として、前記他の交換機から前記ＩＰ電話機の識別情報が送信されると、前記識別情報を前記電話機情報テーブルに登録する手段とを有することを特徴とする交換機。
【請求項２】
他の交換機から前記ＩＰ電話機の登録要求を受信したときに、このＩＰ電話機の識別情報が前記電話機情報テーブルに登録されていると判定すると、前記電話機情報テーブルにＩＰ電話機の登録要求を通知した移設先となる他の交換機のアドレス情報を関連付けると共に、前記ＩＰ電話機の識別情報を他の交換機に応答する手段とを有することを特徴とする請求項１に記載の交換機。
【請求項３】
前記配信制御手段は、着信した呼を配信すべきＩＰ電話機の識別情報が前記電話機情報テーブルに登録され、かつ前記識別情報に前記移設先の他の交換機のアドレス情報が関連付けられていると判定すると、前記識別情報に関連付けられた前記移設先の他の交換機のアドレス情報に基づいて、前記呼が着信した旨の通知を送信し、
着信した呼を配信すべきＩＰ電話機の識別情報が前記電話機情報テーブルに登録され、かつ前記識別情報に移設先の他の交換機のアドレス情報が関連付けられていないと判定すると、前記識別情報に基づいて着信した呼を該当するＩＰ電話機へ配信することを特徴とする請求項２記載の交換機。
【請求項４】
前記登録要求の通知は、ブロードキャストで行うことを特徴とする請求項１から請求項３のいずれか１に記載の交換機。
【請求項５】
前記電話機情報テーブルに登録された識別情報のＩＰ電話機から通知される登録要求の時間間隔を測定し、所定時間以上経過しても前記登録要求の通知が受信されない場合に、この識別情報を前記電話機情報テーブルから削除する手段と、
前記電話機情報テーブルから識別情報を削除したことを、この識別情報が登録されていた移設元の他の交換機へ通知する手段と、
前記移設先の他の交換機から前記電話機情報テーブルに登録された識別情報を削除した旨の通知を受信すると、前記電話機情報テーブルの当該識別情報に関連付けられた他の交換機のアドレス情報を削除する手段とを備えたことを特徴とする請求項１から請求項４のいずれか１に記載の交換機。
【請求項６】
ＩＰ電話機を識別する識別情報が登録される電話機情報テーブルと、
前記電話機情報テーブルに登録された識別情報に基づいて着信した呼を該当するＩＰ電話機へ配信する配信制御手段とを有する交換機へＩＰ電話機を移設する方法であって、
交換機情報テーブルに他の交換機のアドレス情報を登録するステップと、
ＩＰ電話機からの登録要求を受信したときに、このＩＰ電話機の識別情報が前記電話機情報テーブルに登録されているか否かを判別するステップと、
前記ＩＰ電話機の識別情報が前記電話機情報テーブルに登録されていないとき、前記交換機情報テーブルに登録された前記他の交換機のアドレス情報に基づき、前記ＩＰ電話機の登録要求を通知するステップと、
前記登録要求の応答として、前記他の交換機から前記ＩＰ電話機の識別情報が送信されると、前記識別情報を前記電話機識別情報テーブルに登録するステップとを有することを特徴とするＩＰ電話機の移設方法。
【請求項７】
他の交換機から前記ＩＰ電話機の登録要求を受信したときに、このＩＰ電話機の識別情報が前記電話機情報テーブルに登録されているか否かを判定するステップと、
前記ＩＰ電話機の識別情報が前記電話機情報テーブルに登録されていると判定するとき、前記電話機情報テーブルにＩＰ電話機の登録要求を通知した移設先となる他の交換機のアドレス情報を関連付けると共に、前記ＩＰ電話機の識別情報を他の交換機に応答するステップとを有することを特徴とする請求項６記載のＩＰ電話機の移設方法。
【請求項８】
着信した呼を配信すべきＩＰ電話機の識別情報が前記電話機情報テーブルに登録され、かつ前記識別情報に前記移設先の他の交換機のアドレス情報が関連付けられていると判定すると、前記識別情報に関連付けられた前記移設先の他の交換機のアドレス情報に基づいて、前記呼が着信した旨の通知を送信し、
着信した呼を配信すべきＩＰ電話機の識別情報が前記電話機情報テーブルに登録され、かつ前記識別情報に他の交換機のアドレス情報が関連付けられていないと判定すると、前記識別情報に基づいて着信した呼を該当するＩＰ電話機へ配信するステップとを有することを特徴とする請求項７記載のＩＰ電話機の移設方法。
【請求項９】
前記電話機情報テーブルに登録された識別情報のＩＰ電話機から通知される登録要求の時間間隔を測定し、所定時間以上経過しても前記登録要求の通知が受信されない場合に、この識別情報を前記電話機情報テーブルから削除するステップと、
前記電話機情報テーブルから識別情報を削除したことを、この識別情報が登録されていた移設元の他の交換機へ通知するステップと、
移設先の他の交換機から前記電話機情報テーブルに登録された識別情報を削除した旨の通知を受信すると、前記電話機情報テーブルの当該識別情報に関連付けられた他の交換機のアドレス情報を削除するステップと、
を有することを特徴とする請求項６から請求項８のいずれか１に記載のＩＰ電話機の移設方法。
【発明の詳細な説明】
【技術分野】
【０００１】
本発明は、電話機および他の交換機とネットワークを介して接続される交換機およびＩＰ電話機の移設方法に関する。
【背景技術】
【０００２】
オフィスなどで使用される電話機として、インターネットなどのネットワークを利用したＩＰ（Internet Protocol）電話機が広まってきている。このＩＰ電話機は、ＬＡＮ（Local Area Network）で交換機に接続されることで、専用線、公衆網や、インターネットなどを介して通話相手と会話することが可能である。
【０００３】
このＩＰ電話機に接続される交換機は、着信した呼を配信するために、ＩＰ電話機を特定するＩＰアドレスやＭＡＣ（Media Access Control）アドレスなどのアドレス情報を、電話番号と対応させて識別情報として格納している電話機情報テーブルを有している。交換機は、この電話機情報テーブルを参照することで、外線または内線から着信した呼がどのＩＰ電話機宛であるかを選択して配信している。
【０００４】
交換機の電話機情報テーブルの設定は、保守端末装置をＬＡＮに接続し、保守端末装置から交換機へアクセスして、手動で設定を行う。
【０００５】
このような交換機では、新たにＩＰ電話機を設置する場合や、ＩＰ電話機の設置場所が変わることで、このＩＰ電話機が接続される環境（ＩＰアドレス等）が変更となることで、電話機情報テーブルへの登録や、削除などの設定の変更等が必要となる。この設定の変更とは、移設されるＩＰ電話機の識別情報が既に登録されている交換機の電話機情報テーブルの設定を削除し、移設先の交換機の電話機情報テーブルへ識別情報を新たに登録することである。
【０００６】
また、ＩＰ電話機の設置場所によっては接続されるネットワークのサブネットが異なる場合がある。この場合には、ＩＰ電話機のＩＰアドレスの設定を移設先の交換機で新たに割り当てる必要がある。
【０００７】
このようなＩＰ電話機を、移設する場合や、新規に設置する場合など、ＩＰアドレスの割り当てを自動的に行う技術が（特許文献１，２）に記載されている。
【特許文献１】特開平１０−３０３９８９号公報
【特許文献２】特開２００３−２７３８９９号公報
【発明の開示】
【発明が解決しようとする課題】
【０００８】
しかし、ＩＰ電話機にＩＰアドレスなどの識別情報を移設先の交換機にて自動的に割り当てられても、元々接続されていた移設元の交換機の電話機情報テーブルの設定は、手動で設定の削除をする必要がある。
【０００９】
この設定の削除は、手動で行うので作業が繁雑である。また事務所から会議室などへ会議の間だけ移動するような場合では、事務所から会議室へ移動する際に１回、そして会議室から事務所へ戻る時に１回、登録の削除が必要となり、より煩雑な作業となる。
【００１０】
また、移設先の交換機の電話機情報テーブルへ、自動的に移設されるＩＰ電話機の登録が行えるようであると、移設予定のないＩＰ電話機と同じ電話番号で登録を要求するよう
な、いわゆる、なりすましをしたＩＰ電話機には無防備となり、セキュリティに対する問題となる。
【００１１】
そこで本発明は、ＩＰ電話機を移設する場合に、移設元の交換機と移設先の交換機との配信するに必要な設定の変更が自動的に設定でき、セキュリティの高い交換機およびＩＰ電話機の移設方法を提供することを目的とする。
【課題を解決するための手段】
【００１２】
本発明は、ＩＰ電話機を識別する識別情報が登録される電話機情報テーブルと、前記電話機情報テーブルに登録された識別情報に基づいて着信した呼を該当するＩＰ電話機へ配信する配信制御手段とを有する交換機であって、他の交換機のアドレス情報を登録する交換機情報テーブルと、ＩＰ電話機からの登録要求を受信したときに、このＩＰ電話機の識別情報が前記電話機情報テーブルに登録されていないと判定すると、前記交換機情報テーブルに登録された前記他の交換機のアドレス情報に基づき、前記ＩＰ電話機の登録要求を通知する手段と、前記登録要求の応答として、前記他の交換機から前記ＩＰ電話機の識別情報が送信されると、前記識別情報を前記電話機識別情報テーブルに登録する手段とを有することを特徴とする。
【発明の効果】
【００１３】
本発明の交換機は、移設先の交換機から、移設されたＩＰ電話機の識別情報の登録の有無を他の交換機へ確認することで、移設されたＩＰ電話機が既に使用されている電話機であることの確認が移設先の交換機で取ることができる。従って、セキュリティの高い交換機とすることができる。
【００１４】
この確認によるデータ設定が自動で行われるため、手動による登録、削除等の設定変更が必要なくなるとともに、誤設定の防止を図ることができる。
【発明を実施するための最良の形態】
【００１５】
本願の第１の発明は、ＩＰ電話機を識別する識別情報が登録される電話機情報テーブルと、電話機情報テーブルに登録された識別情報に基づいて着信した呼を該当するＩＰ電話機へ配信する配信制御手段とを有する交換機であって、他の交換機のアドレス情報を登録する交換機情報テーブルと、ＩＰ電話機からの登録要求を受信したときに、このＩＰ電話機の識別情報が電話機情報テーブルに登録されていないと判定すると、交換機情報テーブルに登録された他の交換機のアドレス情報に基づき、ＩＰ電話機の登録要求を通知する手段と、登録要求の応答として、他の交換機から前記ＩＰ電話機の識別情報が送信されると、識別情報を前記電話機情報テーブルに登録する手段とを有することを特徴とするとしたものである。
【００１６】
移設先の交換機が、他の交換機のアドレス情報が登録された交換機情報テーブルに基づいて、ＩＰ電話機の登録の有無を確認するので、既に使用されていたＩＰ電話機が移設されたものなのか、新規に設置されたものであるかが確認できる。この確認により、既設のＩＰ電話機になりすましたＩＰ電話機の登録が防止できるので、セキュリティの高い交換機とすることができる。また、移設元の交換機から取得するＩＰ電話機の識別情報に電話番号を含ませることにより、電話番号等の設定も不要となる。
【００１７】
本願の第２の発明は、他の交換機からＩＰ電話機の登録要求を受信したときに、このＩＰ電話機の識別情報が電話機情報テーブルに登録されていると判定すると、電話機情報テーブルにＩＰ電話機の登録要求を通知した移設先となる他の交換機のアドレス情報を関連付けると共に、ＩＰ電話機の識別情報を他の交換機に応答する手段とを有することを特徴としたものである。
【００１８】
移設元の交換機に、移設先の交換機のアドレス情報をＩＰ電話機の識別情報と対応付けて登録しているので、移設元の交換機において、移設されたＩＰ電話機の設定の削除を行う必要がないので煩雑な作業が不要である。
【００１９】
本願の第３の発明は、配信制御手段は、着信した呼を配信すべきＩＰ電話機の識別情報が電話機情報テーブルに登録され、かつ識別情報に移設先の他の交換機のアドレス情報が関連付けられていると判定すると、識別情報に関連付けられた移設先の他の交換機のアドレス情報に基づいて、呼が着信した旨の通知を送信し、着信した呼を配信すべきＩＰ電話機の識別情報が電話機情報テーブルに登録され、かつ識別情報に移設先の他の交換機のアドレス情報が関連付けられていないと判定すると、識別情報に基づいて着信した呼を該当するＩＰ電話機へ配信することを特徴としたものである。
【００２０】
移設元の交換機に、移設先の交換機のアドレス情報をＩＰ電話機の識別情報と対応付けて登録し、この移設先の交換機のアドレス情報に基づいて、着信した呼を移設先の交換機へ通知することができるので、移設元に着信した呼を配信すべきＩＰ電話機が移設先の交換機に移設されている場合であっても、容易にＩＰ電話機に呼を配信することができる。
【００２１】
本願の第４の発明は、前記登録要求の通知は、ブロードキャストで行うことを特徴としたものである。移設元の交換機と同じサブネットのネットワークに接続されていれば、ブロードキャストで移設元の交換機へ問い合わせるので、交換機情報テーブルから問い合わせ先の交換機のアドレス情報を参照する必要がない。従って、交換機アドレステーブルを省略することができる。
【００２２】
本願の第５の発明は、電話機情報テーブルに登録された識別情報のＩＰ電話機から通知される登録要求の時間間隔を測定し、所定時間以上経過しても登録要求の通知が受信されない場合に、この識別情報を前記電話機情報テーブルから削除する手段と、電話機情報テーブルから識別情報を削除したことを、この識別情報が登録されていた移設元の他の交換機へ通知する手段と、移設先の他の交換機から電話機情報テーブルに登録された識別情報を削除した旨の通知を受信すると、前記電話機情報テーブルの当該識別情報に関連付けられた他の交換機のアドレス情報を削除する手段とを備えたことを特徴としたものである。
【００２３】
移設先の交換機にて、ＩＰ電話機からの所定間隔で送信される登録要求通知が所定時間以上受信されない場合、電話機情報テーブルからこのＩＰ電話機の識別情報を削除するとともに、移設元の交換機へその旨を通知する。これにより、一時的に移設されたＩＰ電話機の識別情報を移設先の交換機の電話機情報テーブルから削除することができるので、煩雑な移転先の交換機の設定の削除作業と、移設元の交換機の設定の戻し作業とを不要とすることができる。
【００２４】
本願の第６の発明は、ＩＰ電話機を識別する識別情報が登録される電話機情報テーブルと、電話機情報テーブルに登録された識別情報に基づいて着信した呼を該当するＩＰ電話機へ配信する配信制御手段とを有する交換機へＩＰ電話機を移設する方法であって、交換機情報テーブルに他の交換機のアドレス情報を登録するステップと、ＩＰ電話機からの登録要求を受信したときに、このＩＰ電話機の識別情報が電話機情報テーブルに登録されているか否かを判別するステップと、ＩＰ電話機の識別情報が電話機情報テーブルに登録されていないとき、交換機情報テーブルに登録された他の交換機のアドレス情報に基づき、ＩＰ電話機の登録要求を通知するステップと、登録要求の応答として、他の交換機からＩＰ電話機の識別情報が送信されると、識別情報を電話機識別情報テーブルに登録するステップとを有することを特徴としたものである。
【００２５】
移設先の交換機が、他の交換機のアドレス情報が登録された交換機情報テーブルに基づいて、ＩＰ電話機の登録の有無を確認するので、既に使用されていたＩＰ電話機が移設されたものなのか、新規に設置されたものであるかが確認できる。この確認により、既設のＩＰ電話機になりすましたＩＰ電話機の登録が防止できるので、セキュリティの高い交換機とすることができる。また、移設元の交換機から取得するＩＰ電話機の識別情報に電話番号を含ませることにより、電話番号等の設定も不要となる。
【００２６】
本願の第７の発明は、他の交換機からＩＰ電話機の登録要求を受信したときに、このＩＰ電話機の識別情報が前記電話機情報テーブルに登録されているか否かを判定するステップと、ＩＰ電話機の識別情報が電話機情報テーブルに登録されていると判定するとき、電話機情報テーブルにＩＰ電話機の登録要求を通知した移設先となる他の交換機のアドレス情報を関連付けると共に、ＩＰ電話機の識別情報を他の交換機に応答するステップとを有することを特徴としたものである。
【００２７】
移設元の交換機に、移設先の交換機のアドレス情報をＩＰ電話機の識別情報と対応付けて登録しているので、移設元の交換機において、移設されたＩＰ電話機の設定の削除を行う必要がないので煩雑な作業が不要である。
【００２８】
本願の第８の発明は、着信した呼を配信すべきＩＰ電話機の識別情報が電話機情報テーブルに登録され、かつ識別情報に移設先の他の交換機のアドレス情報が関連付けられていると判定すると、識別情報に関連付けられた移設先の他の交換機のアドレス情報に基づいて、呼が着信した旨の通知を送信し、着信した呼を配信すべきＩＰ電話機の識別情報が電話機情報テーブルに登録され、かつ識別情報に他の交換機のアドレス情報が関連付けられていないと判定すると、識別情報に基づいて着信した呼を該当するＩＰ電話機へ配信するステップとを有することを特徴としたものである。
【００２９】
移設元の交換機に、移設先の交換機のアドレス情報をＩＰ電話機の識別情報と対応付けて登録し、この移設先の交換機のアドレス情報に基づいて、着信した呼を移設先の交換機へ通知することができるので、移設元に着信した呼を配信すべきＩＰ電話機が移設先の交換機に移設されている場合であっても、容易にＩＰ電話機に呼を配信することができる。
【００３０】
本願の第９の発明は、電話機情報テーブルに登録された識別情報のＩＰ電話機から通知される登録要求の時間間隔を測定し、所定時間以上経過しても登録要求の通知が受信されない場合に、この識別情報を電話機情報テーブルから削除するステップと、電話機情報テーブルから識別情報を削除したことを、この識別情報が登録されていた移設元の他の交換機へ通知するステップと、移設先の他の交換機から電話機情報テーブルに登録された識別情報を削除した旨の通知を受信すると、電話機情報テーブルの当該識別情報に関連付けられた他の交換機のアドレス情報を削除するステップとを有することを特徴としたものである。
【００３１】
移設先の交換機にて、ＩＰ電話機からの所定間隔で送信される登録要求通知が所定時間以上受信されない場合、電話機情報テーブルからこのＩＰ電話機の識別情報を削除するとともに、移設元の交換機へその旨を通知する。これにより、一時的に移設されたＩＰ電話機の識別情報を移設先の交換機の電話機情報テーブルから削除することができるので、煩雑な移転先の交換機の設定の削除作業と、移設元の交換機の設定の戻し作業とを不要とすることができる。
【００３２】
（実施の形態）
以下、図面に基づいて本発明の実施の形態について説明する。図１は、本発明の実施の形態に係る交換機を用いた交換機システムの構成を示す図である。図１に示すように、交
換機システム１は、３台の交換機３と、ＩＰ電話機４とがネットワークであるＬＡＮ２で接続されている。交換機３は、ＬＡＮ２を介して内線ＩＰ電話同士の接続や、ネットワークに接続された他のＩＰ電話機と内線ＩＰ電話機との接続を行うＩＰ−ＰＢＸ（Internet
Protocol-Private Branch eXchange）などの交換機である。交換機３は、図示しないが加入者電話網やＩＳＤＮ（Integrated Services Digital Network）回線などの接続するためのインタフェースも有する。
【００３３】
図１では、交換機３として、便宜上、交換機Ａ３ａと、交換機Ｂ３ｂと、交換機Ｃ３ｃとを図示しているが、この台数は、接続されるＩＰ電話機４などの接続台数や設置される場所などに応じて、適宜決めることができる。それぞれ交換機３が接続されるＬＡＮ２は、図示しないネットワーク中継装置などのルータで接続されている。従って、交換機Ａ３ａと交換機Ｂ３ｂと交換機Ｃ３ｃとは、それぞれサブネットが異なるネットワークに接続された状態である。
【００３４】
交換機Ａ３ａには、ＩＰ電話機４が接続されている。このＩＰ電話機４は、交換機Ａ３ａと同じサブネットのネットワークに接続されている。なお、図１においては、便宜上、交換機Ａ３ａにＩＰ電話機４が１台のみ接続されたことを図示しているが、交換機Ａ３ａと、交換機Ｂ３ｂと、交換機Ｃ３ｃとは、図示しない複数のＩＰ電話機を接続している。
【００３５】
交換機Ａ３ａと、交換機Ｂ３ｂと、交換機Ｃ３ｃとは、ＬＡＮ２を介して通信を行っている。この手順は、交換機３同士が通信可能であればよいので、各種プロトコルに準拠した手順でも、独自の手順としてもよい。ＩＰ電話機４は、交換機Ａ３ａとＳＩＰ（Session Initiation Protocol）に準拠した手順で通信を行っている。また、ＩＰ電話機４は、交換機３の後述する電話機識別テーブルへ登録を要求する登録要求通知を接続された交換機３へ送信する。そして登録完了後も所定時間間隔で登録要求通知を送信する機能を有している。
【００３６】
次に、本発明の実施の形態に係る交換機の構成を図２から図４に基づいて説明する。図２は、本発明の実施の形態に係る交換機の構成を説明する図である。図３は電話機情報テーブルの構成を示す図ある。図４は交換機情報テーブルの構成を示す図である。図２に示すように、交換機３は、運用管理テーブル１１、呼制御手段１２と、ＬＡＮ−Ｉ／Ｆ部１３と、ＬＡＮスイッチ１４とを備えている。
【００３７】
運用管理テーブル１１は、電話機情報テーブル１１ａと、交換機情報テーブル１１ｂとを備えている。電話機情報テーブル１１ａと交換機情報テーブル１１ｂとは、この交換機３に接続されるＩＰ電話機４の情報や、他の交換機３の情報を格納する記憶手段である。
【００３８】
この電話機情報テーブル１１ａの構成を図３に基づいて説明する。電話機情報テーブル１１ａは、ＩＰ電話機４の電話番号と、ＭＡＣアドレスと、ＩＰアドレスとを識別情報として格納されている。さらに、他の交換機３のアドレス情報であるルーティング情報と、仮設定フラグとがそれぞれ識別情報に対応付けられて格納されている。これらの設定は、それぞれ対応付けられているこの仮設定フラグは、現在接続されているＩＰ電話機４が仮の設置状態か、本設置の状態かを区別するためのフラグである。
【００３９】
すなわち、この仮設定フラグが「０」の場合は、接続されているＩＰ電話機４が本設置の状態であることを示す。また、仮設定フラグが「１」の場合には接続されているＩＰ電話機４が仮設置の状態であることを示す。例えば、ＩＰ電話機４が交換機Ａ３ａから交換機Ｂ３ｂへ移設された状態では、交換機Ｂ３ｂの電話機情報テーブル１１ａにおいて、このＩＰ電話機４が仮設定フラグ「１」となる。
【００４０】
ルーティング情報は、接続されているＩＰ電話機４を他の交換機３へ移設する場合に、移設先の交換機３のＩＰアドレスが登録される。例えば、ＩＰ電話機４を交換機Ａ３ａから交換機Ｂ３ｂへ移設する場合には、交換機Ａ３ａの電話機情報テーブル１１ａのルーティング情報に交換機Ｂ３ｂのＩＰアドレスが登録される。
【００４１】
次に、交換機情報テーブル１１ｂを図４に基づいて説明する。図４に示すように、交換機情報テーブル１１ｂは、ノード名と、ＩＰアドレスとが格納されている。ノード名は、同じ職場や会社内に設置される他の交換機３の名前である。ＩＰアドレスは、その交換機３に割り当てられているアドレス情報である。この交換機情報テーブル１１ｂに格納される他の交換機のＩＰアドレスは、同じサブネットでも、異なるサブネットに接続される交換機でもよい。
【００４２】
図２に戻って、呼制御手段１２は、配信制御手段１２ａと、登録要求通知手段１２ｂと、登録応答手段１２ｄと、情報テーブル登録手段１２ｅと、登録管理手段１２ｆとを備えている。配信制御手段１２ａは、電話機情報テーブル１１ａの識別情報である電話番号やＩＰアドレスに基づいて着信した呼を該当するＩＰ電話機４へ配信する。また、配信制御手段１２ａは、着信した呼を配信すべきＩＰ電話機４の識別情報が電話機情報テーブル１１ａに登録され、かつ識別情報に移設先の交換機のＩＰアドレスが関連付けられていると判定すると、識別情報に関連付けられた移設先の交換機のＩＰアドレス情報に基づいて、呼が着信した旨の通知を送信する。
【００４３】
しかし、着信した呼を配信すべきＩＰ電話機４の識別情報が電話機情報テーブル１１ａに登録され、かつ識別情報に移設先の交換機のＩＰアドレスが関連付けられていないと判定すると、識別情報に基づいて着信した呼を該当するＩＰ電話機４へ配信する。例えば、交換機Ａ３ａから交換機Ｂ３ｂへＩＰ電話機４が移設された場合、交換機Ａ３ａの電話機情報テーブル１１ａには、ＩＰ電話機４の識別情報と移転先の交換機Ｂ３ｂのＩＰアドレスが登録されることになる。一方、交換機Ｂ３ｂの電話機情報テーブル１１ａには、ＩＰ電話機４の識別情報が登録されることになる。
【００４４】
従って、交換機Ａ３ａにＩＰ電話機４へ呼の着信があると、交換機Ａ３ａの配信制御手段１２ａは、電話機情報テーブル１１ａにＩＰ電話機４の識別情報が登録されていると判定する。そして、ＩＰ電話機４の識別情報が登録されていて、かつこの識別情報に関連付けられた移転先の交換機Ｂ３ｂのＩＰアドレスがルーティング情報に登録されていると判定し、この交換機Ｂ３ｂのＩＰアドレス基づいて呼が着信した旨の通知を送信する。
【００４５】
また、交換機Ｂ３ｂにＩＰ電話機４へ呼の着信があると、交換機Ｂ３ｂの配信制御手段１２ａは、電話機情報テーブル１１ａにＩＰ電話機４の識別情報が登録されていると判定する。そして、ＩＰ電話機４に識別情報が登録されていて、かつこの識別情報に関連付けられた交換機のＩＰアドレスがルーティング情報に登録されていないと判定し、交換機Ｂ３ｂの配信制御手段１２ａは、ＩＰ電話機４の識別情報に基づいて着信した呼をＩＰ電話機４へ配信する。
【００４６】
登録要求通知手段１２ｂは、ＩＰ電話機４からの登録要求を受信し、このＩＰ電話機４の識別情報が電話機情報テーブル１１ａに登録されていないと判定すると、交換機情報テーブル１１ｂに登録された他の交換機のＩＰアドレスに基づき、ＩＰ電話機４の登録要求を通知する手段である。
【００４７】
例えば、交換機Ｂ３ｂがＩＰ電話機４から送信される登録要求を受信すると、交換機Ｂ３ｂの登録要求通知手段１２ｂは、交換機Ｂ３ｂの電話機情報テーブル１１ａにＩＰ電話機４の識別情報が登録されているか否かを判定し、登録されていない場合は、交換機Ｂ３
ｂの交換機情報テーブル１１ｂに登録されている交換機Ａ３ａのＩＰアドレスに基づいて、ＩＰ電話機４の登録要求を通知する。
【００４８】
移設元である交換機Ａ３ａと移設先である交換機Ｂ３ｂとが同じサブネットのネットワークに接続されていれば、登録要求通知手段１２ｂは、ＩＰ電話機４の登録要求の通知をブロードキャストで送信する。このＩＰ電話機４の登録要求の通知を交換機情報テーブル１１ｂにより相手交換機３を指定して送信するか、ブロードキャストにより送信するかは、ネットワークの接続形態に応じて適宜決めることができる。
【００４９】
登録応答手段１２ｄは、移設先となる交換機３から、送信されたＩＰ電話機４の登録要求の通知を受信すると、その通知に応じて、このＩＰ電話機４の識別情報を電話機情報テーブル１１ａから取得し、登録されていれば登録されている旨の通知を移設先となる交換機３へ応答する。
【００５０】
例えば、交換機Ａ３ａから交換機Ｂ３ｂへＩＰ電話機４が移設される場合、ＩＰ電話機４からの登録要求が交換機Ｂ３ｂへ送信される。この登録要求の通知を受信した交換機Ａ３ａは、ＩＰ電話機４の登録要求の通知を交換機Ａ３ａへ送信する。登録要求の通知を受信した交換機Ａ３ａの登録応答手段１２ｄは、電話機情報テーブル１１ａに移設先である交換機Ｂ３ｂのＩＰアドレスとＩＰ電話機４の識別情報を関連付けて登録すると共に、ＩＰ電話機４の識別情報を交換機Ｂ３ｂへ応答する。
【００５１】
情報テーブル登録手段１２ｅは、移設元となる交換機３から登録要求の応答として、ＩＰ電話機４の識別情報が送信されると、この識別情報を電話機情報テーブル１１ａに登録する手段である。例えば、移設元となる交換機Ａ３ａからＩＰ電話機４の識別情報が、登録要求の応答として送信されると、この応答を受信した交換機Ｂ３ｂの情報テーブル登録手段１２ｅは、このＩＰ電話機４の識別情報を識別情報テーブル１１ａに登録するとともに、仮設定フラグを「１」とする。
【００５２】
登録管理手段１２ｆは、電話機情報テーブル１１ａに登録された識別情報のＩＰ電話機４から通知される登録要求が所定間隔で送信される時間間隔を測定し、測定した時間間隔が所定時間以上（すなわち、登録要求の通知が所定時間以上送信されない状態）となると、電話機情報テーブル１１ａからこのＩＰ電話機４の識別情報を電話機情報テーブル１１ａから削除するとともに、電話機情報テーブル１１ａから識別情報を削除したことを、識別情報が登録されている旨の応答をした移設元の交換機３へ通知する。
【００５３】
また、登録管理手段１２ｆは、移設先の交換機３から電話機情報テーブル１１ａに登録された識別情報を削除した旨の通知を受信すると、電話機情報テーブル１１ａの当該識別情報に関連付けられた移設先の交換機３のＩＰアドレスを削除する。
【００５４】
例えば、交換機Ａ３ａから交換機Ｂ３ｂへＩＰ電話機４が移設された後、再び交換機Ａ３ａへＩＰ電話機４が移設される場合、交換機Ｂ３ｂの登録管理手段１２ｆは、ＩＰ電話機４から通知される登録要求が所定時間以上経過しても通知されないことにより、ＩＰ電話機４の識別情報を電話機情報テーブル１１ａから削除するとともに、削除したことを交換機Ａ３ａへ通知する。この通知を受信した交換機Ａ３ａの登録管理手段１２ｆは、電話機情報テーブル１１ａのＩＰ電話機４のルーティング情報に登録された交換機Ｂ３ｂのＩＰアドレスを削除する。
【００５５】
ＬＡＮ−Ｉ／Ｆ部１３は、他の交換機３や、ＩＰ電話機４などと接続するために、１００Ｂａｓｅ−Ｔや１００Ｂａｓｅ−Ｔｘなどの電気的変換を行うインタフェースである。ＬＡＮスイッチ１４は、ＬＡＮ−Ｉ／Ｆ部１３を介して入力されたパケットのＭＡＣアド
レスを参照して、このＭＡＣアドレスを有する他の交換機３や、ＩＰ電話機４や、図示しないルータへ、内部の経路を切り換えて送信する。また、呼制御手段１２から送信されるパケットも、このＬＡＮスイッチ１４を経由して送信される。
【００５６】
以上のように構成される本発明の実施の形態に係る交換機の動作を図に基づいて説明する。図５から図１３は本発明の実施の形態に係る交換機の動作を説明する図である。
【００５７】
本実施の形態では、交換機Ａ３ａに接続されるＩＰ電話機４を交換機Ｂ３ｂへ移設する場合を例に説明する。図５に示すように、交換機Ａ３ａと交換機Ｂ３ｂとの交換機情報テーブル１１ｂにお互いのＩＰアドレスが登録されている。この場合、交換機Ｂ３ｂのＩＰアドレスは「１９２．１０．１１．１」であるので、交換機Ａ３ａの交換機情報テーブルには、ノード名として「交換機Ｂ」、ＩＰアドレスとして上述した「１９２．１０．１１．１」が登録されている。そして同様に、交換機Ｂ３ｂの交換機情報テーブル１１ｂに、ノード名として「交換機Ａ」、ＩＰアドレスとして上述した「１９２．１０．１０．１」が登録されている。これは図１では図示しない入力手段により、交換機情報テーブル１１ｂに登録するものである。このように、交換機情報テーブル１１ｂにより、それぞれの交換機３同士が関連付けられている。
【００５８】
図６に示すように、ＩＰ電話機４を交換機Ａ３ａから交換機Ｂ３ｂへ接続の変更する。図７に示すように、ＩＰ電話機４から送信される電話機情報テーブル１１ａへの登録を要求する登録要求通知を、登録要求通知手段１２ｂが受信すると、登録要求通知に含まれるＩＰ電話機４の電話番号が電話機情報テーブル１１ａにない場合は、受信された登録要求通知に含まれる電話番号が、交換機Ａ３ａの電話機情報テーブル１１ａに登録されているか否かを交換機Ａ３ａへ問い合わせるためにＩＰ電話機４の登録要求を通知する。
【００５９】
この交換機Ａ３ａへのＩＰ電話機４の登録要求の通知は、図５に示す交換機情報テーブル１１ｂに基づいて行われ、交換機Ａ３ａのＩＰアドレス「１９２．１０．１０．１」宛となる。なお、本実施の形態では、交換機Ｂ３ｂから交換機Ａ３ａへは、電話番号をＩＰ電話機４を特定する識別情報として用いたが、ＩＰ電話機４を特定できる識別情報であればよく、ＩＰ電話機４のＭＡＣアドレスでも使用できる。また、同じサブネット内であれば、ＩＰ電話機４を特定する識別情報として、ＩＰアドレスも使用できる。
【００６０】
また、登録要求通知手段１２ｂは、移設先となる交換機３が同じサブネットのネットワークに接続されているものであれば、このＩＰ電話機４の登録要求の通知をブロードキャストで送信してもよい。
【００６１】
図８に示すように、交換機Ａ３ａから、交換機Ａ３ａの電話機情報テーブル１１ａにＩＰ電話機４の電話番号が登録されている旨の通知が交換機Ｂ３ｂへ応答される。これは、交換機Ａ３ａの登録応答手段１２ｄにより、交換機Ｂ３ｂからの登録要求通知を送信したＩＰ電話機４の電話番号の問い合わせである登録要求の通知に応じて、このＩＰ電話機４の電話番号を電話機情報テーブル１１ａから取得し、登録されていれば登録されている旨の通知を交換機Ｂ３ｂへ応答される。
【００６２】
図９に示すように、交換機Ａ３ａからＩＰ電話機４が電話機情報テーブル１１ａに登録されている旨の応答を交換機Ｂ３ｂの情報テーブル登録手段１２ｅが受信する。そして、交換機Ｂ３ｂの情報テーブル登録手段１２ｅは、受信した交換機Ａ３ａから応答により、登録要求通知を送信したＩＰ電話機４の電話番号、ＭＡＣアドレスと、新たに割り当てたＩＰアドレスを識別情報として、各々関連付けて電話機情報テーブル１１ａに登録する。またその際に、移設されたＩＰ電話機４と対応付けられた仮設定フラグを「１」とする。
【００６３】
また、交換機Ａ３ａの情報テーブル登録手段１２ｅは、電話機情報テーブル１１ａから取得されたＩＰ電話機４の識別情報と、問い合わせた移設先の交換機３のＩＰアドレスとを対応付けて電話機情報テーブル１１ａのルーティング情報に登録する。このように、ＩＰ電話機４は、交換機Ａ３ａから交換機Ｂ３ｂへ接続の変更を仮登録というかたちで行うことができる。移設元の交換機３の確認を取ることで、移設されたＩＰ電話機４が既に使用されているＩＰ電話機４であることが容易に判別できるので、セキュリティの高い交換機３とすることができる。
【００６４】
次に、移設されたＩＰ電話機４への交換機Ａ３ａおよび交換機Ｂ３ｂの着信動作を図１０に基づいて説明する。図１０に示すように、交換機Ａ３ａの配信制御手段１２ａは、呼の着信を示す呼設定要求があると、交換機Ａ３ａの電話機情報テーブル１１ａから、呼に対応する電話番号を取得するとともに、この電話番号に対応付けられた交換機Ｂ３ｂのＩＰアドレスを取得する。そして、呼が着信した旨の通知を、電話機情報テーブル１１ａの交換機Ｂ３ｂのＩＰアドレスに基づいて送信する。
【００６５】
交換機Ｂ３ｂの配信制御手段１２ａは、ＩＰ電話機４への呼の着信した旨の通知である呼設定要求を受信すると、電話機情報テーブル１１ａから呼設定要求に含まれる電話番号を取得し交換機情報テーブル１１ａを参照してＩＰ電話機４のＩＰアドレスを取得する。そして、そのＩＰアドレス宛であるＩＰ電話機４へ呼の着信を通知する。
【００６６】
呼が着信したＩＰ電話機４は、呼の着信により呼び出し中を示す鳴動を開始する。そして呼の着信と反対の順序で、交換機Ｂ３ｂ、交換機Ａ３ａ、そして発信者の電話機へと呼び出し中を示す通知が送信される。ＩＰ電話機４がオフフックされると、呼び出し中を示す応答と同じ順序で通知される。
【００６７】
また、交換機３がボイスメール機能を備えている場合には、図１１に示すように、移設されたＩＰ電話機４が接続している交換機Ｂ３ｂのボイスメールが応答する。このように、移設されたＩＰ電話機４の登録が自動的に移設先である交換機Ｂ３ｂ登録されることで、ボイスメールも移設先の交換機Ｂ３ｂが応答することで、ＩＰ電話機４の管理を容易に行うことができる。
【００６８】
次に、移設されたＩＰ電話機４が、移設元である交換機Ａ３ａへ接続を戻した場合の交換機Ａ３ａおよび交換機Ｂ３ｂの動作を図１２に基づいて説明する。これは、例えば、事務所で使用していたＩＰ電話機４を会議が行われる会議室へ持っていき、会議の終了とともに、ＩＰ電話機４を事務所へ戻すことで、事務所の交換機Ａ３ａから会議室の交換機Ｂ３ｂへ接続変更され、また事務所の交換機Ａ３ａへ接続変更されるケースなどである。
【００６９】
図１２に示すように、交換機Ｂ３ｂから交換機Ａ３ａへＩＰ電話機４が接続変更される。交換機Ｂ３ｂの登録管理手段１２ｆは、電話機情報テーブル１１ａに登録された電話番号のＩＰ電話機４からの登録要求通知が所定間隔で送信される時間間隔を測定する。この所定間隔は、設定により適宜決めることができる。例えば３０分から数時間とすることができる。
【００７０】
交換機Ｂ３ｂの登録管理手段１２ｆは、この測定した時間間隔が所定時間以上となると、電話機情報テーブル１１ａからこのＩＰ電話機４の識別情報を電話機情報テーブル１１ａから削除するとともに、電話機情報テーブル１１ａから識別情報を削除したことを、識別情報が登録されている旨の応答をした移設元である交換機Ａ３ａへ通知する。
【００７１】
つまり、ＩＰ電話機４から登録要求通知が所定時間受信されないということは、ＩＰ電話機４が接続変更されたことを示しているので、移設先であった交換機Ｂ３ｂに登録され
ているＩＰ電話機４の識別情報を削除するものである。そして、電話機情報テーブル１１ａから識別情報を削除した旨の通知を受信した移設元の交換機Ａ３ａは、再度接続されたＩＰ電話機４からの登録要求通知を受信したときに、電話機情報テーブル１１ａから、このＩＰ電話機４のルーティング情報を削除する。
【００７２】
このようにして、一時的に移設したＩＰ電話機４の戻しの設定を自動化できることで、利便性の高い交換機３とすることができる。これは、移設元の交換機Ａ３ａの電話機情報テーブル１１ａのルーティング情報として移設先の交換機Ｂ３ｂのＩＰアドレスを登録した仮登録状態としているので、容易に戻しの設定を行うことができる。
【００７３】
次に、ＩＰ電話機４を交換機Ａ３ａから交換機Ｂ３ｂへ移設し、図９に示すような状態としたものを、更にＩＰ電話機４を交換機Ｃ３ｃへ移設した場合の交換機Ａ３ａと、交換機Ｂ３ｂと、交換機Ｃ３ｃの動作を図１３に基づいて説明する。
【００７４】
図１３に示すように、交換機Ｂ３ｂから交換機Ｃ３ｃへＩＰ電話機４が接続変更される。接続が変更されたＩＰ電話機４が、交換機Ｃ３ｃの電話機情報テーブル１１ａへの登録を要求する登録要求通知を送信する。交換機Ｃ３ｃの登録要求通知手段１２ｂは登録要求通知を受信すると、受信された登録要求通知に含まれる電話番号が、交換機Ａ３ａの電話機情報テーブル１１ａに登録されているか否かを、交換機情報テーブル１１ｂを参照して、交換機Ａ３ａおよび交換機Ｂ３ｂへ問い合わせる。
【００７５】
この問い合わせに応じて、交換機Ｂ３ｂは、ＩＰ電話機４の接続の変更が発生したことを認識して、電話機情報テーブル１１ａからＩＰ電話機４の識別情報を削除する。このとき、仮設定該当するＩＰ電話機４の識別情報が、仮設定であるか否かの判定は、電話機情報テーブル１１ａの仮設定フラグを参照し、判断する。そして、交換機Ａ３ａは、電話機情報テーブル１１ａのルーティング情報を交換機Ｂ３ｂから交換機Ｃ３ｃのＩＰアドレスへと変更する。
【００７６】
このようにして、移設先の交換機３から次の交換機３へと接続の変更が発生しても、同様の手順で設定の変更を行うことができる。なお、交換機Ｂ３ｂの電話機情報テーブル１１ａのＩＰ電話機４の識別情報の削除を、交換機Ｃ３ｃからのＩＰ電話機４の登録有無の問い合わせを受信したことにより行ったが、交換機Ｂ３ｂの登録管理手段１２ｆにより、ＩＰ電話機４から登録要求通知が所定時間受信されないということにより、交換機Ｂ３ｂに登録されているＩＰ電話機４の識別情報を削除してもよい。
【００７７】
これは、ＩＰ電話機４から登録要求通知が所定時間受信されないということは、ＩＰ電話機４が接続変更されたことを示しているので、交換機Ｂ３ｂから他の交換機３へＩＰ電話機４が接続変更されたことが判別できるからである。
【００７８】
なお、本実施の形態については、ＩＰ電話機４の移設元の交換機３が存在した場合を説明した。つまり移設先の交換機３からＩＰ電話機４の識別情報の登録の有無の問い合わせを交換機情報テーブル１１ｂに基づいて送信すると、移転元の交換機３から登録されている旨の応答が戻ってくるというケースである。
【００７９】
例えば、新規にＩＰ電話機４を設置する場合などは、移設元となる交換機３が存在しないため、ＩＰ電話機４の識別情報の登録の有無の問い合わせを交換機情報テーブル１１ｂに基づいて送信しても、いずれからの交換機３からも登録されていない旨の通知がされる。この場合には、移設先の交換機３の電話機情報テーブル１１ａへのＩＰ電話機の登録を、従来行われていた手動などにより行うようにしてもよい。こうすることにより、移設元の交換機３が存在しない場合に、自動的に登録することを抑止することで、新規のＩＰ電
話機４を設置して無用に接続されることが防止できる。
【産業上の利用可能性】
【００８０】
本発明は、ＩＰ電話機を移設する場合に、移設元の交換機と移設先の交換機との設定の変更が容易に行え、誤設定の防止が図れるので、ＩＰ電話機および他の交換機とネットワークを介して接続される交換機並びにＩＰ電話機の移設方法に好適である。
【図面の簡単な説明】
【００８１】
【図１】本発明の実施の形態に係る交換機を用いた交換機システムの構成を示す図
【図２】本発明の実施の形態に係る交換機の構成を説明する図
【図３】電話機情報テーブルの構成を示す図
【図４】交換機情報テーブルの構成を示す図
【図５】本発明の実施の形態に係る交換機の動作を説明する図
【図６】本発明の実施の形態に係る交換機の動作を説明する図
【図７】本発明の実施の形態に係る交換機の動作を説明する図
【図８】本発明の実施の形態に係る交換機の動作を説明する図
【図９】本発明の実施の形態に係る交換機の動作を説明する図
【図１０】本発明の実施の形態に係る交換機の動作を説明する図
【図１１】本発明の実施の形態に係る交換機の動作を説明する図
【図１２】本発明の実施の形態に係る交換機の動作を説明する図
【図１３】本発明の実施の形態に係る交換機の動作を説明する図
【符号の説明】
【００８２】
１    交換機システム
２    ＬＡＮ
３    交換機
３ａ    交換機Ａ
３ｂ    交換機Ｂ
３ｃ    交換機Ｃ
４    ＩＰ電話機
１１    運用管理テーブル
１１ａ    電話機情報テーブル
１１ｂ    交換機情報テーブル
１２    呼制御手段
１２ａ    配信制御手段
１２ｂ    登録要求通知手段
１２ｄ    登録応答手段
１２ｅ    情報テーブル登録手段
１２ｆ    登録管理手段
１３    ＬＡＮ−Ｉ／Ｆ部
１４    ＬＡＮスイッチ
【図１】
2005318054.tif 000003
【図２】
2005318054.tif 000004
【図３】
2005318054.tif 000005
【図４】
2005318054.tif 000006
【図５】
2005318054.tif 000007
【図６】
2005318054.tif 000008
【図７】
2005318054.tif 000009
【図８】
2005318054.tif 000010
【図９】
2005318054.tif 000011
【図１０】
2005318054.tif 000012
【図１１】
2005318054.tif 000013
【図１２】
2005318054.tif 000014
【図１３】
2005318054.tif 000015